(57)【要約】【課題】複数種の流体を安定に移送可能にする流体移送用複合ホースを提供する。【解決手段】被覆管２に互いに独立した複数の被覆孔５を長手方向に平行に設け、これら複数の被覆孔５にそれぞれ流体移送用のホース３を挿入した流体移送用複合ホース１を特徴とする。【選択図】      図２
2004229709.tif 000002
【特許請求の範囲】
【請求項１】
被覆管に互いに独立した複数の被覆孔を長手方向に平行に設け、これら複数の被覆孔にそれぞれ流体移送用のホースを挿入した流体移送用複合ホース。
【請求項２】
前記被覆管が繊維織物からなる請求項１に記載の流体移送用複合ホース。
【請求項３】
前記ホースが筒状織物のジャケットにゴム又は樹脂のシール層を内貼りした構成からなる請求項１又は２に記載の流体移送用複合ホース。
【請求項４】
前記被覆孔を２本設けると共に、各被覆孔にホースを１本づつ挿入した消防用ホースであって、前記ホースのうちの一方を消火水移送用にし、他方を圧縮空気移送用にした請求項１、２又は３に記載の流体移送用複合ホース。
【請求項５】
前記被覆管の外側に前記ホースの両端部をそれぞれ突出させ、その一方の端部に雄金具を取り付けると共に、他方の端部に雌金具を取り付け、かつ前記雄金具と雌金具とを前記被覆管の同一側の端部に配置するようにした請求項４に記載の流体移送用複合ホース。
【発明の詳細な説明】
【０００１】
【発明の属する技術分野】
本発明は流体移送用複合ホースに関し、さらに詳しくは、複数種の流体を吐出端まで安定移送可能にした流体移送用複合ホース、特に消防用ホースとして好適な流体移送用複合ホースに関する。
【０００２】
【従来の技術】
化学消防では、消防車等の供給源から複数種の流体を消防ホースを介して火災現場まで移送し、そのホース先端の噴射ノズルから混合噴射するものがある。また、近年では、消火水と圧縮空気とを個別に噴射ノズルまで移送し、その噴射ノズルから消火水を圧縮空気を利用して噴霧状に放射するようにしたものもある。
【０００３】
このように流体供給源から複数種の流体を火災現場まで移送するためには、各流体毎に移送用のホースを設置しなければならない。しかし、複数本のホースをそれぞれ個別に展張すると、その展張途中でバラけたり、或いは一部のホースが障害物に引っ掛かったりして展張作業の障害になり、また鎮火後のホースの収納作業が困難になり、作業性が著しく低下するという問題があった。
【０００４】
本出願人は、上記問題の対策として、先に可撓性の外部管の中に複数本の内部管を配置することにより、複数本の内部管を一つにまとめた状態にして複数種の流体を移送するようにした複合ホースを提案した（特許文献１参照）。しかし、この複合ホースでは、外部管内で複数本の内部管同士が互いに接触しているため、隣接する２本の内部管の間で移送流体の圧力が互いに違っていると、圧力の高い方の内部管が低い方の内部管を圧迫し、横断面において押し潰した状態にするため流動状態を乱し、その結果、流体の流量にも異常を来すため消火作業の支障になることがあった。
【０００５】
【特許文献１】
実開昭６２−１９０１８８号公報
【０００６】
【発明が解決しようとする課題】
本発明の目的は、上述した従来の問題を解消し、複数種の流体を安定に移送可能にする流体移送用複合ホースを提供することにある。
【０００７】
【課題を解決するための手段】
上記目的を達成する本発明の流体移送用複合ホースは、被覆管に互いに独立した複数の被覆孔を長手方向に平行に設け、これら複数の被覆孔にそれぞれ流体移送用のホースを挿入したことを特徴とするものである。
【０００８】
このように被覆管に設ける被覆孔を複数の互いに独立した構成にしたため、これら被覆孔に挿入するホースも互いに独立した状態にすることができ、これらホースの移送流体の圧力がホース間で互いに異なっていても、一方のホースが他方のホースを圧迫して変形させることがなく、ホースの末端まで安定な流体移送を可能にすることができる。
【０００９】
【発明の実施の形態】
以下、図に示す本発明の実施形態により具体的に説明する。
【００１０】
図１及び図２は、本発明の流体移送用複合ホースを消防用ホースに適用した場合の実施形態を示す。図１は平面図で、図２は図１のＸ−Ｘ矢視断面図である。
【００１１】
これらの図において、１は流体移送用複合ホース（消防用複合ホース）であり、内側に挿入されたホース３，３とその外側を覆う被覆管２とから構成されている。被覆管２は筒状織物から構成され、かつ、その横断面において互いに対向し合う側壁層同士を、一部の経糸４を反対側の側壁層まで侵入するように織り込ませることにより互いに連結している。この連結により、横断面において左右両側に分離すると共に長手方向には平行に延長し、かつ互いに独立した２本の被覆孔５，５を形成している。
【００１２】
図示の例では、対向し合う側壁層間に経糸４を織り込ませて相互間を連結したが、この連結手段としては、経糸４に代えて縫い糸を使用して縫合するとか、或いは接着剤で接合してもよい。或いは、図６に例示するように、被覆管２を筒状に織成するとき緯糸を「８」の字状に交差させて、二つの被覆孔５，５を連結形成してもよい。いずれの連結手段を採用するにしても、複数の被覆孔が互いに独立した空間孔を形成するようになっていればよい。
【００１３】
上述のように互いに独立空間孔として形成された被覆孔５，５に、それぞれ流体移送用のホース３，３が挿入される。ホース３としては、従来の消防用ホースに使用されているものと同じでよく、一般には筒状織物のジャケット６にゴム又は樹脂のシール層７が内貼りしたものが使用される。
【００１４】
被覆管２に挿入されたホース３は、その両端部をそれぞれ被覆管２の長手方向の両端部から突出させており、一方の端部に連結用の雄金具８ａを、他方の端部に雌金具８ｂを取り付けている。したがって、図１に鎖線で示すように、異種の雄金具８ａと雌金具８ｂとを嵌合させることにより両者は連結し、２本の消防用複合ホース１，１の間を連結することができる。
【００１５】
この連結において、各ホース３には、一方の端部に連結用の雄金具８ａを取り付け、他方の端部に雌金具８ｂを取り付けている上に，さらに被覆管２の両端部において、それぞれ同一側の端部には必ず雄金具８ａと雌金具８ｂとの異種の金具同士を配置して、同種の金具同士（雄金具８ａ同士、または雌金具８ｂ同士）が配置されないようにしている。
【００１６】
このような配置関係にしたことにより、消防用複合ホース１，１の端部同士を無作為に任意に突き合わせさえすれば、必ず雄金具８ａと雌金具８ｂとが対向する関係になるため、そのまま連結することができる。すなわち、消防用複合ホースの連結金具の雄雌の選択作業をしなくても、端部同士を突き合わせれば、必然的に雄金具８ａと雌金具８ｂが対向した状態になるため、そのまま連結することができる。
【００１７】
上述した本発明の消防用複合ホース（流体移送用複合ホース）は、消火水と圧縮空気とを個別に噴射ノズルまで移送し、その噴射ノズルから圧縮空気を利用して消火水を噴霧状に放射するようにする消防装置に有効に使用するとができる。すなわち、消防自動車の流体供給源から火災現場までを本発明の消防用複合ホース１（流体移送用複合ホース）で連結し、２本のホース３，３のうちの一方を消火水移送用に、他方を圧縮空気移送用に使用するようにすればよい。
【００１８】
消火水用ホースの圧力と圧縮空気用ホースの圧力とは、前者の消火水用の方が後者の圧縮空気用よりも高いので、従来の消防用複合ホースのように外部管内に２本のホース同士を接触状態にして挿入すると、消火水用ホースが圧縮空気用ホースを側面圧迫して変形させ、圧縮空気の移送を不安定にする。しかしながら、本発明の消防用複合ホースでは、消火水用と圧縮空気用の両ホース３，３が、被覆管２の被覆孔５，５で互いに隔離された独立な状態になっているため相互間の干渉はなく、不安定な移送が生ずることはない。
【００１９】
また、本発明の流体移送用複合ホースは、図３に示すように偏平に押し潰した状態にすることができるので、非使用時にはロール状に巻き込むことにより、コンパクトに収納することができる。さらに火災が鎮火した後に行なう撤収作業も、このようにロール状に巻き込めばよいので簡単にすることができる。また、ホース３は全周を被覆管２で覆われているので、地面を引きずることによる摩耗に対しても高寿命にすることができる。
【００２０】
本発明の流体移送用複合ホースは、上述した消防用複合ホースに適用するのが最も好ましいが、そのほかに油圧ポンプ（又はその他の液体作動ポンプ）の駆動用作動油（作動液体）の循環ホース、すなわち、供給ホース／還流ホースの複合ホース用としても利用することができる。作動油（作動液体）は供給ホースを移送するとき高圧であるが、油圧ポンプを駆動して還流ホースを戻るときは低圧になっているからである。
【００２１】
本発明の流体移送用複合ホースにおいて、ホース３の本数は、図示の例のように２本だけに限定されるものではなく、移送流体の種類数に応じて、図４のように３本にする場合、図５のように４本にする場合、或いは不図示の５本以上にする場合にも適用することができる。
【００２２】
３本以上のホース３を互いに独立の３本以上の被覆孔５に挿入した流体移送用複合ホース１を構成する場合は、流体移送用複合ホースの横断面における複数本のホース３の配列を、図４に示すように１列配置にしたものにするか、或いは２段以上に積み重ねるときは、図５のようにスクェアに配置することが望ましい。勿論、３本のホース３を三角状に千鳥状の積層配置にしてもよい。ただ、千鳥状の積層配置の場合は、複数の被覆孔５の相互間の連結点が三角状（千鳥状）の配置になるため、偏平に折り畳もうとするとき、連結点同士が変形を抑制し合い、完全な偏平状態にならないため、コンパクトな収納を難しくすることがある。
【００２３】
【発明の効果】
上述したように本発明によれば、被覆管に設ける被覆孔を複数の互いに独立した構成にしたため、これら被覆孔に挿入するホースも互いに独立した状態にすることができ、これらホースの移送流体の圧力がホース間で互いに異なっていても、一方のホースが他方のホースを圧迫して変形させることがなく、ホースの末端まで安定な流体移送を可能にすることができる。
【図面の簡単な説明】
【図１】本発明の流体移送用複合ホースを消防用ホースに適用した場合の実施形態を示す平面図である。
【図２】図１のＸ−Ｘ矢視断面図である。
【図３】図２において、ホース内の移送流体が空になったときの断面図である。
【図４】本発明の他の実施形態の図２に相当する断面図である。
【図５】本発明の更に他の実施形態の図２に相当する断面図である。
【図６】本発明の更に他の実施形態の図２に相当する断面図である。
【符号の説明】
１  流体移送用複合ホース（消防用複合ホース）
２  被覆管
３  ホース
４  経糸
５  被覆孔
６  ジャケット
７  シール層
８ａ  雄金具
８ｂ  雌金具
【図１】
2004229709.tif 000003
【図２】
2004229709.tif 000004
【図３】
2004229709.tif 000005
【図４】
2004229709.tif 000006
【図５】
2004229709.tif 000007
【図６】
2004229709.tif 000008